(57)【要約】【課題】デッキプレートがコンクリート床スラブから脱落することを確実に防止することができると共に、梁型枠内への鉄筋の取り付け作業が安全に行える。【解決手段】梁型枠１間にコンクリート床スラブＡの型枠となる、端部７Ａが平坦に成形されたデッキプレート７を配し、次いで、デッキプレート７上に鉄筋位置決め用スペーサー１１を固定し、次いで、スペーサー１１上および梁型枠１内に鉄筋を配し、そして、デッキプレート７上および梁型枠１内にコンクリートを打設する、コンクリート床の構築法において、スペーサー１１をコンクリート床スラブＡと噛み合わせることによって、デッキプレート７をその端部７Ａが梁型枠１内に突出しないように梁型枠１間に配する。【選択図】  図１
2004360210.tif 000002
【特許請求の範囲】
【請求項１】
コンクリート梁間に配される、コンクリート床スラブの型枠となる、端部が平坦に成形されたデッキプレートと、前記デッキプレート上に固定される鉄筋位置決め用スペーサーとを備えたコンクリート床において、
前記スペーサーは、前記コンクリート床スラブから離脱しないように前記コンクリート床スラブと噛み合い、前記デッキプレートの端部は、前記コンクリート梁内に突出していないことを特徴とするコンクリート床。
【請求項２】
前記スペーサーは、前記デッキプレートの端部に固定されていることを特徴とする、請求項１記載のコンクリート床。
【請求項３】
前記スペーサーは、前記デッキプレートに釘またはビスにより固定されていることを特徴とする、請求項１または２記載のコンクリート床。
【請求項４】
前記スペーサーは、前記デッキプレートに接着剤または粘着剤により固定されていることを特徴とする、請求項１または２記載のコンクリート床。
【請求項５】
梁型枠間にコンクリート床スラブの型枠となる、端部が平坦に成形されたデッキプレートを配し、次いで、前記デッキプレート上に鉄筋位置決め用スペーサーを固定し、次いで、前記スペーサー上および前記梁型枠内に鉄筋を配し、そして、前記デッキプレート上および前記梁型枠内にコンクリートを打設する、コンクリート床の構築法において、
前記スペーサーとして、前記コンクリートの硬化後、前記コンクリート床スラブから離脱せずに前記コンクリート床スラブに噛み合う構造を有するものを使用し、前記デッキプレートをその端部が前記梁型枠内に突出しないように前記梁型枠間に配することを特徴とする、コンクリート床の構築法。
【請求項６】
前記スペーサーを前記デッキプレートの端部に固定することを特徴とする、請求項５記載の、コンクリート床の構築法。
【請求項７】
前記スペーサーを前記デッキプレートに釘またはビスにより固定することを特徴とする、請求項５または６記載のコンクリート床の構築法。
【請求項８】
前記スペーサーを前記デッキプレートに接着剤または粘着剤により固定することを特徴とする、請求項５または６記載のコンクリート床の構築法。
【発明の詳細な説明】
【０００１】
【発明の属する技術分野】
この発明は、デッキプレートを利用したコンクリート床およびその構築法、特に、デッキプレートがコンクリート梁から脱落することを確実に防止することができると共に、梁型枠内への鉄筋の取り付け作業が安全に行える、コンクリート床およびその構築法に関するものである。
【０００２】
【従来の技術】
図面を参照しながら、従来の鉄筋コンクリート造（以下、ＲＣ造という。）におけるコンクリート床について説明する。
【０００３】
図３は、従来のＲＣ造において、梁型枠間に設置されたデッキプレートを示す部分斜視図、図４は、従来のＲＣ造において、梁型枠間に設置されたデッキプレートを示す部分断面図、図５は、従来のＲＣ造において、デッキプレートの端部と梁型枠との固定部分を示す部分断面図である。
【０００４】
図３から図５において、１は、支柱２（図４参照）により支持された梁型枠である。梁型枠１は、合板製底板４Ａと、連結ボルト３（通称セパレータと称される。図４参照）により平行に連結された合板製側板４Ｂと、側板４Ｂを補強するために、側板４Ｂの外側に固定された縦さん木５および横さん木６等とから構成されている。
【０００５】
７は、梁型枠１間に配された、コンクリート床スラブの型枠となるデッキプレートである。デッキプレート７のリブ７Ｂの端部７Ａは、平坦にプレス成形（エンドクローズ）されている。デッキプレート７は、デッキプレート７上に打設されたコンクリートが硬化後、一般的には、梁型枠１を撤去する。このため、デッキプレート７がコンクリート梁から脱落しないように、その端部７Ａは、図４および図５に示すように、予め梁型枠１内に１０ｍｍ程度入り込むように梁型枠１間に設置されていて、端部７Ａは、釘８によって横さん木６に固定されている。
【０００６】
このようにして、梁型枠１間にデッキプレート７が配されたら、デッキプレート７上に鉄筋用スペーサー（図示せず）を置き、このスペーサーの上と梁型枠１内とに鉄筋（図示せず）を配する。次いで、デッキプレート７上および梁型枠１内にコンクリートを打設する。そして、コンクリート硬化後、梁型枠１を撤去すれば、コンクリート梁間にコンクリート床スラブが構築される。デッキプレート７の端部７Ａは、コンクリート床スラブ内に入り込み、コンクリート床スラブと噛み合うので、デッキプレート７がコンクリート床スラブから脱落することはない。
【０００７】
以上の構築法は、ＳＲＣ造におけるコンクリート床においても同様である。
【０００８】
【発明が解決しようとする課題】
しかしながら、上述した従来のコンクリート床の構築法は、次のような問題があった。
【０００９】
（１）デッキプレート７がコンクリート床スラブから脱落することを防止するために、デッキプレート７の端部７Ａを梁型枠１内に１０ｍｍ程度入り込ませるが、梁型枠１内への鉄筋の取り付け作業時に、この出っ張った端部７Ａに腕や手足が接触して怪我をする恐れがあった。手が受ける傷は、手袋の着用によりある程度防げるが、腕や足用には、適当な保護具がないので、怪我が多発しているのが現状である。
【００１０】
（２）デッキプレート７の端部７Ａを梁型枠１内に１０ｍｍ程度入り込ませるために、予め設計寸法の梁幅を片側で１０ｍｍ広くしている。従って、この分、使用コンクリート量が増大する。
【００１１】
（３）デッキプレート７の端部７Ａを梁型枠１内に入り込ませない工法もあるが、この場合には、専用の脱落防止金具を溶接等によりデッキプレートに固定する必要があり、時間と手間がかかる。
【００１２】
（４）脱落防止金具を溶接等によりデッキプレート７に固定する代わりに、脱落防止金具をデッキプレート７に挟み込む工法もあるが、デッキプレート７上を作業床として歩く際に生じる振動、ゆれ等によって、脱落防止金具がデッキプレート７から外れる恐れがあった。
【００１３】
従って、この発明の目的は、デッキプレートがコンクリート床スラブから脱落することを確実に防止することができると共に、梁型枠内への鉄筋の取り付け作業が安全に行える、コンクリート床およびその構築法を提供することにある。
【００１４】
【課題を解決するための手段】
請求項１記載の発明は、コンクリート梁間に配される、コンクリート床スラブの型枠となる、端部が平坦に成形されたデッキプレートと、前記デッキプレート上に固定される鉄筋位置決め用スペーサーとを備えたコンクリート床において、前記スペーサーは、前記コンクリート床スラブから離脱しないように前記コンクリート床スラブと噛み合い、前記デッキプレートの端部は、前記コンクリート梁内に突出していないことに特徴を有するものである。
【００１５】
請求項２記載の発明は、請求項１記載の発明において、スペーサーは、デッキプレートの端部に固定されていることに特徴を有するものである。
【００１６】
請求項３記載の発明は、請求項１または２記載の発明において、スペーサーは、デッキプレートに釘またはビスにより固定されていることに特徴を有するものである。
【００１７】
請求項４記載の発明は、請求項１または２記載の発明において、スペーサーは、デッキプレートに接着剤または粘着剤により固定されていることに特徴を有するものである。
【００１８】
請求項５記載の発明は、梁型枠間にコンクリート床スラブの型枠となる、端部が平坦に成形されたデッキプレートを配し、次いで、前記デッキプレート上に鉄筋位置決め用スペーサーを固定し、次いで、前記スペーサー上および前記梁型枠内に鉄筋を配し、そして、前記デッキプレート上および前記梁型枠内にコンクリートを打設する、コンクリート床の構築法において、前記スペーサーとして、前記コンクリートの硬化後、前記コンクリート床スラブから離脱せずに前記コンクリート床スラブに噛み合う構造を有するものを使用し、前記デッキプレートをその端部が前記梁型枠内に突出しないように前記梁型枠間に配することに特徴を有するものである。
【００１９】
請求項６記載の発明は、請求項５記載の発明において、スペーサーをデッキプレートの端部に固定することに特徴を有するものである。
【００２０】
請求項７記載の発明は、請求項５または６記載の発明において、スペーサーをデッキプレートに釘またはビスにより固定することに特徴を有するものである。
【００２１】
請求項８記載の発明は、請求項５または６記載の発明において、スペーサーをデッキプレートに接着剤または粘着剤により固定することに特徴を有するものである。
【００２２】
【発明の実施の形態】
次に、この発明のコンクリート床の一実施態様を、図面を参照しながら説明する。
【００２３】
図１は、梁型枠撤去前の、この発明のコンクリート床を示す部分断面図、図２は、この発明のコンクリート床に使用するスペーサーを示す斜視図である。
【００２４】
図１および図２において、１は、支柱２により支持された梁型枠である。梁型枠１は、合板製底板４Ａと、連結ボルト（通称セパレータと称される。図示せず）により平行に連結される合板製側板４Ｂと、側板４Ｂを補強するために、側板４Ｂの外側に固定される縦さん木５および横さん木６等とから構成されている。
【００２５】
７は、梁型枠１間に配された、コンクリート床スラブＡの型枠となるデッキプレートである。デッキプレート７のリブ７Ｂの端部７Ａは、平坦にプレス成形されていて、梁型枠１の内面と一致している。すなわち、端部７Ａは、従来のように梁型枠１内に突出していない。デッキプレート７の端部７Ａは、釘８によって横さん木６に固定されている。９は、後述するスペーサー上に配されるスラブ用鉄筋、１０は、梁型枠１内に取り付けられる梁用鉄筋である。
【００２６】
１１は、スラブ用鉄筋９の位置決め用スペーサーであり、デッキプレート７の端部７Ａに釘１２あるいはビスにより固定されている。デッキプレート７のリブ７Ｂの端部７Ａは、上述したように、プレスにより平坦に成形（エンドクローズ）されていて、複数枚の鋼板が積層されている。従って、釘１２の打ち込みによって確実にスペーサー１１を固定することができる。スペーサー１１は、図２に示すように、台座１３と載置台１４とからなっていて、コンクリート打設後は、コンクリートがスペーサー１１の凹凸部（台座１３と載置台１４との間）に入り込んで、コンクリート床スラブＡと噛み合い、コンクリート床スラブＡから離脱することはない。釘１２は、載置台１４に打ち込まれる。載置台１４には、鉄筋用溝１４Ａが形成され、ここにスラブ用鉄筋９が乗せられる。
【００２７】
なお、デッキプレート７の任意の場所にスペーサー１１を固定する場合には、適切な接着剤または両面テープ等の粘着材により、スペーサー１１の台座１３をデッキプレート７に固定しても良い。
【００２８】
上述した、この発明のコンクリート床の構築法を、以下に説明する。
【００２９】
梁型枠１間にデッキプレート７を配した後、デッキプレート７の端部７Ａ上にスペーサー１１を釘１２の打ち込みによって固定する。釘１２の打ち込みは、釘打ち機や発射打ち込みガス銃により溶接等の作業をすることなく行える。
【００３０】
このようにして、デッキプレート７にスペーサー１１を固定したら、スペーサー１１の上にスラブ用鉄筋９を乗せると共に、梁型枠１内に梁用鉄筋１０を取り付ける。梁型枠１内への梁用鉄筋１０の取り付け作業は、従来のように梁型枠１内にデッキプレート７の端部７Ａが突出していないので、手や腕が端部７Ａに接触して怪我をすることなく、安全に行える。
【００３１】
このようにして、スラブ用鉄筋９および梁用１０の取り付けが終了したら、デッキプレート７上および梁型枠１内にコンクリートを打設する。そして、コンクリート硬化後、梁型枠１を撤去すれば、コンクリート梁Ｂ間にコンクリート床スラブＡが構築される。デッキプレート７は、デッキプレート７に固定されたスペーサー１１がコンクリート床スラブＡと強固に噛み合っているので、コンクリート床スラブＡから脱落することはない。
【００３２】
この発明の構築法は、ＳＲＣ造（鉄骨、鉄筋コンクリート造）におけるコンクリート床の構築法にも適用できる。
【００３３】
【発明の効果】
以上説明したように、この発明によれば、コンクリート梁間に配される、コンクリート床スラブの型枠となるデッキプレートに、コンクリート床スラブと噛み合い、コンクリート床スラブから離脱しない鉄筋位置決め用スペーサーを固定することによって、デッキプレートがコンクリート床スラブから脱落することを確実に防止することができる。従って、デッキプレートの端部を梁型枠内に突出させる必要がないので、梁型枠内への鉄筋の取り付け作業時に、デッキプレートの端部に手や腕が接触して怪我をすることがなくなる。また、デッキプレートの端部を梁型枠内に入り込ませる必要がないので、予め設計寸法の梁幅を広くする必要がない。従って、使用コンクリート量が増大することがないといった有用な効果がもたらされる。
【図面の簡単な説明】
【図１】梁型枠撤去前の、この発明のコンクリート床を示す部分断面図である。
【図２】この発明のコンクリート床に使用するスペーサーを示す斜視図である。
【図３】従来のＲＣ造において、梁型枠間に設置されたデッキプレートを示す部分斜視図である。
【図４】従来のＲＣ造において、梁型枠間に設置されたデッキプレートを示す部分断面図である。
【図５】従来のＲＣ造において、デッキプレートの端部と梁型枠との固定部分を示す部分断面図である。
【符号の説明】
１：梁型枠
２：支柱
３：連結ボルト
４Ａ：底板
４Ｂ：側板
５：縦さん木
６：横さん木
７：デッキプレート
７Ａ：端部
７Ｂ：リブ
８：釘
９：スラブ用鉄筋
１０：梁用鉄筋
１１：スペーサー
１２：釘
１３：台座
１４：載置台
１４Ａ：鉄筋用溝
Ａ：コンクリート床スラブ
Ｂ：コンクリート梁
【図１】
2004360210.tif 000003
【図２】
2004360210.tif 000004
【図３】
2004360210.tif 000005
【図４】
2004360210.tif 000006
【図５】
2004360210.tif 000007